(57)【要約】【課題】エンボス部の深さを大きくしても、精度を満足することができるエンボスキャリアテープの製造方法を提供する。【解決手段】熱可塑性樹脂からなる基材樹脂テープを、回転するロータリー式金型の側面に接触させてエンボス部を連続的に真空成形するエンボスキャリアテープの製造方法において、ロータリー金型から、エンボス部が形成されたエンボスキャリアテープを離型する際に、一旦、ロータリー式金型の側面から側面の接線方向に誘導してエンボスキャリアテープのエンボス部をロータリー式金型側面の凹状成形用型部の壁面から離間させ、次いでエンボスキャリアテープを前記接線面よりロータリー式金型側に寄った面に沿って誘導して該エンボスキャリアテープのエンボス部を前記凹状成形用型部から取り出すエンボスキャリアテープの製造方法。【選択図】      図３
2004189250.tif 000002
【特許請求の範囲】
【請求項１】
熱可塑性樹脂からなる基材樹脂テープを、略円筒形であって、その側面にエンボスキャリアテープのエンボス部形成のための複数の凹状成形用型部からなる凹状成形用型部列を１列以上有する、回転するロータリー式金型の側面に接触させて、エンボス部を連続的に真空成形するエンボスキャリアテープの製造方法において、
ロータリー金型から、エンボス部が形成されたエンボスキャリアテープを離型する際に、上記エンボスキャリアテープを、一旦、ロータリー式金型の側面から該側面の接線方向に誘導することにより該エンボスキャリアテープのエンボス部をロータリー式金型側面の凹状成形用型部の壁面から離間させ、次いで、エンボスキャリアテープを前記接線面よりロータリー式金型側に寄った面に沿って誘導することによって該エンボスキャリアテープのエンボス部を前記凹状成形用型部から取り出すことを特徴とするエンボスキャリアテープの製造方法。
【請求項２】
熱可塑性樹脂からなる基材樹脂テープを、略円筒形であって、その側面にエンボスキャリアテープのエンボス部形成のための複数の凹状成形用型部からなる凹状成形用型部列を１列以上有する、回転するロータリー式金型の側面に接触させて、エンボス部を連続的に真空成形するエンボスキャリアテープ製造装置において、
ロータリー金型から、エンボス部が形成されたエンボスキャリアテープを離型する際に、上記エンボスキャリアテープを、一旦、ロータリー式金型の側面から該側面の接線方向に誘導する一次誘導部と、該一次誘導部から供給されるエンボスキャリアテープを前記接線面よりロータリー式金型側に寄った面に沿って誘導する二次誘導部とを有することを特徴とするエンボスキャリアテープ製造装置。
【発明の詳細な説明】
【０００１】
【発明の属する技術分野】
本発明は、電子部品を収納し搬送時の衝撃や静電気等から保護するためのエンボスキャリアテープ製造装置に関する。
【０００２】
【従来の技術】
エンボスキャリアテープは比較的小さい電子部品を収納するエンボス部を有するテープであり、通常、カーボンブラックなどの導電性付加材が添加された熱可塑性樹脂（ポリスチレン等）などから形成される。
【０００３】
ここで、エンボスキャリアテープの例を図１（ａ）及び図１（ｂ）に示す。図１（ａ）には複数のエンボスが１列に形成されている例を、図１（ｂ）には５列に形成された例を示した。
【０００４】
なお、図１（ａ）に示すエンボスキャリアテープは最初からこのままの形で製造されても良く、また、図１（ｂ）に示すような複数のエンボスからなるエンボス列を複数有するキャリアテープを幅方向にスリットすることによっても得ることができる。
【０００５】
このようなエンボスキャリアテープに収納された電子部品は、自動化された部品実装装置などで目的とする基板等に実装される。このとき、エンボスキャリアテープに設けられた複数のエンボス部は高精度に等間隔で形成されていないと、自動化された部品実装装置などによる取り扱いができない。また、収納される電子部品の保護、あるいは実装装置などの取り扱い上、エンボス部自体の形状・寸法も精度が高いことが求められる。
【０００６】
このようなエンボスキャリアテープの製造方法として、従来のレシプロ式金型を用いた製造方法よりも生産性を高めるため、特開平１１−２０７８１１号公報（特許文献１）、特開平１１−１５１７４９号（特許文献２）などで知られるロータリー式金型を用いたエンボスキャリアテープ製造装置が用いられるようになってきた。
ここで、このようなロータリー式金型を用いたエンボスキャリアテープ製造装置について、モデル図である図２を用いて説明する。
【０００７】
図２において、熱可塑性樹脂からなる基材樹脂テープ１’は図示しないローラによってテンションが調整され、円筒状の側面に複数の凹状成形用型部３ａ’を有するロータリー式金型（金属製）３’に供給される。
【０００８】
ロータリー式金型３’はモータ（図示しない）によって駆動されて、図中、時計回り方向に回転している。
ロータリー式金型３’に接している基材樹脂テープ１’はヒータ４’により加熱されて、軟化する。次いで真空吸引部５’によって、凹状成形用型部３ａ’に設けられた微小な吸引孔（図示しない）から吸気されて減圧状態となった凹状成形用型部３ａ’に吸い付けられて、エンボス部１ａ’が形成される。
【０００９】
このように複数のエンボス部１ａ’が形成された基材樹脂テープ１’はロータリー式金型３’から離型し、次いで、クーラ（図示しない）等により冷却され、その後必要に応じて巻き取られる。
【００１０】
しかしながら、最近の実装技術の向上により、電子基板への背高部品の自動実装が可能となり、それに伴い、エンボス部の深さ（図１（ｂ）及び図１（ｃ）における「Ｄ」）が大きい深絞りのエンボスキャリアテープが求められるようになってきた。
【００１１】
しかし、このようなエンボス部の深いエンボスキャリアテープを製造する場合、ロータリー式金型ではレシプロ式金型とは異なり、離型時に金型を後退させることができないため、エンボス部１ａ’は図３中二点鎖線からなる丸で囲んだ箇所に示されるように離型時に凹状成形用型部３ａ’の壁面に押しつけられるために、変形し、あるいは、へこんでしまい、エンボスキャリアテープのエンボス部として求められる寸法精度が得られなくなることが判った。
【００１２】
【特許文献１】
特開平１１−２０７８１１号公報（第１−３頁）
【特許文献２】
特開平１１−１５１７４９号公報（第１−３頁）
【００１３】
【発明が解決しようとする課題】
本発明は、上記した従来の問題点を改善する、すなわち、生産性の良いロータリー式金型を用いるエンボスキャリアテープの製造装置において、形成されるエンボス部の深さを大きくしても、エンボス部の変形の発生がなく、エンボスキャリアテープとして要求される精度を満足することができるエンボスキャリアテープ製造装置を提供することを目的とする。
【００１４】
【課題を解決するための手段】
本発明は上記課題を解決するために、請求項１に記載の通り、熱可塑性樹脂からなる基材樹脂テープを、略円筒形であって、その側面にエンボスキャリアテープのエンボス部形成のための複数の凹状成形用型部からなる凹状成形用型部列を１列以上有する、回転するロータリー式金型の側面に接触させて、エンボス部を連続的に真空成形するエンボスキャリアテープの製造方法において、ロータリー金型から、エンボス部が形成されたエンボスキャリアテープを離型する際に、上記エンボスキャリアテープを、一旦、ロータリー式金型の側面から該側面の接線方向に誘導することにより該エンボスキャリアテープのエンボス部をロータリー式金型側面の凹状成形用型部の壁面から離間させ、次いで、エンボスキャリアテープを前記接線面よりロータリー式金型側に寄った面に沿って誘導することによって該エンボスキャリアテープのエンボス部を前記凹状成形用型部から取り出すことを特徴とするエンボスキャリアテープの製造方法である。
【００１５】
このような構成を有する本発明のエンボスキャリアテープの製造方法により、形成されるエンボス部の深さを大きくしても、エンボス部の変形の発生がなく、要求される精度を満足するエンボスキャリアテープを極めて生産性良く得ることができる。
【００１６】
本発明は上記課題を解決するために、請求項２に記載の通り、熱可塑性樹脂からなる基材樹脂テープを、略円筒形であって、その側面にエンボスキャリアテープのエンボス部形成のための複数の凹状成形用型部からなる凹状成形用型部列を１列以上有する、回転するロータリー式金型の側面に接触させて、エンボス部を連続的に真空成形するエンボスキャリアテープ製造装置において、ロータリー金型から、エンボス部が形成されたエンボスキャリアテープを離型する際に、上記エンボスキャリアテープを、一旦、ロータリー式金型の側面から該側面の接線方向に誘導する一次誘導部と、該一次誘導部から供給されるエンボスキャリアテープを前記接線面よりロータリー式金型側に寄った面に沿って誘導する二次誘導部とを有することを特徴とするエンボスキャリアテープ製造装置である。
【００１７】
このような構成を有する本発明のエンボスキャリアテープ製造装置によれば、エンボスキャリアテープの製造方法により、形成されるエンボス部の深さを大きくしても、エンボス部の変形の発生がなく、要求される精度を満足するエンボスキャリアテープを極めて生産性良く得ることができる。
【００１８】
【発明の実施の形態】
本発明のエンボスキャリアテープ製造方法についてその原理をモデル図を用いて説明する。
【００１９】
図３は、図面中、時計回りに回転するロータリー式金型３からエンボス部１ａが形成されたエンボスキャリアテープが連続的に離型されている様子をモデル的に示した図である。
【００２０】
エンボスキャリアテープの離型に際して、図中に「ロータリー式金型の側面の接線方向に誘導」と付せられた部分については、エンボスキャリアテープを、ロータリー式金型の側面からこの側面の接線面方向に誘導することにより、エンボスキャリアテープのエンボス部１ａをロータリー式金型３側面の凹状成形用型部３ａの壁面から離間させる。
【００２１】
次いで、図中に「接線面よりロータリー式金型側に寄った面に沿って誘導する」と付せられた部分については、エンボスキャリアテープを接線面よりロータリー式金型側に寄った面に沿って誘導することによってエンボスキャリアテープのエンボス部を前記凹状成形用型部から完全に取り出す。
【００２２】
上記のようにエンボスキャリアテープのエンボス部１ａをロータリー式金型３側面の凹状成形用型部３ａの壁面から離間させる際にロータリー式金型の側面の接線方向に誘導することにより、これらを確実に離間させることができる。
【００２３】
エンボスキャリアテープのエンボス部１ａとロータリー式金型３側面の凹状成形用型部３ａの壁面との離間後に接線面よりロータリー式金型側に寄った面に沿って誘導することにより、凹状成形用型部３ａの壁面によるエンボスキャリアテープのエンボス部１ａの変形を効果的に防止することができる。
【００２４】
なお、エンボスキャリアテープのエンボス部１ａの、ロータリー式金型３側面の凹状成形用型部３ａの壁面から離間させる際にロータリー式金型の側面の接線方向に誘導する距離、離間後にエンボスキャリアテープを誘導する「接線面よりロータリー式金型側に寄った面」と接線面とがなす角度については形成されるエンボス部及び凹状成形用型部３ａの形状、エンボスとエンボスとの相互距離、ロータリ式金型の太さ等によって異なるため、予め各種シミュレーション、試作等によって適宜決定する。また「接線面よりロータリー式金型側に寄った面」はこの構成を満足する限りにおいて、平面である必要がなく、曲面であっても良い。
【００２５】
図４はこのような本発明に係るエンボスキャリアテープの製造方法を可能とするエンボスキャリアテープ製造装置の一例を示すモデル図である。
【００２６】
この装置は熱可塑性樹脂からなる基材樹脂テープ１を、略円筒形であって、その側面にエンボスキャリアテープのエンボス部形成のための複数の凹状成形用型部３ａからなる凹状成形用型部列を１列以上有する、回転するロータリー式金型３の側面に接触させて、エンボス部１ａを連続的に真空成形するエンボスキャリアテープ製造装置であって、上記ロータリー式金型３の凹状成形用型部３ａより小さく、かつ、該凹状成形用型部３ａに咬合する凸部６ａを有する略円筒形でロータリー式金型の回転とは逆方向に回転可能な補助金型６を有し、かつ、該補助金型６の凸部６ａが、ロータリー式金型３側面の凹状成形用型部３ａ内の減圧により該凹状成形用型部３ａに位置した基材樹脂テープ１の部分に生じる凹状成形用型部３ａ内部への移動を、基材樹脂テープ１のロータリー式金型３とは反対の面から補助する位置に、補助金型６を有するエンボスキャリアテープ製造装置であって、ロータリー金型３から、エンボス部１ａが形成されたエンボスキャリアテープを離型する際に、上記エンボスキャリアテープを、一旦、ロータリー式金型３の側面からその側面の接線方向に誘導する一次誘導部と、該一次誘導部から供給されるエンボスキャリアテープを前記接線面よりロータリー式金型側に寄った面に沿って誘導する二次誘導部とを有すエンボスキャリアテープ製造装置である。
【００２７】
図中基材樹脂テープ１は予加熱ローラ２ａおよび予加熱ローラ２ｂの間を経て、ロータリー式金型３側面に供給される。このとき予加熱ローラ２ａおよび予加熱ローラ２ｂにより、ロータリー式金型３への基材樹脂テープ１の供給のテンションむらは防止される。
【００２８】
略円筒状のロータリー式金型３は図中時計回りに回転している。その側面にはエンボスキャリアテープのエンボス部形成のための複数の凹状成形用型部３ａが形成されている。なお、複数の凹状成形用型部からなる凹状成形用型部列は１列以上設けることができる（図中には凹状成形用型部列は１列だけ示されている）。
【００２９】
ロータリー式金型３表面に供給された基材樹脂テープ１はヒータ４から供給される熱風により成形可能な温度に加熱されるが、ロータリー式金型３はクーラ７により供給される冷風によって冷却されているために、金型表面に基材樹脂テープ１が融着することはない。
【００３０】
充分に加熱され、真空吸引部５により図示しない連通孔より凹状成形用型部３ａ内部が真空吸引される位置に達した基材樹脂テープ１の部分は凹状成形用型部３ａ内部へ吸引される。
【００３１】
このとき補助金型６の凸部６ａがロータリー式金型３の凹状成形用型部３ａに咬合するように補助金型６が設けられているため、ロータリー式金型３側面の凹状成形用型部３ａに位置した基材樹脂テープ１の部分を、補助金型の上記凸部６ａが、基材樹脂テープ１に対してロータリー式金型とは反対の面から、ロータリー式金型３側面の凹状成形用型部３ａ内側へ移動する補助操作が凸部６ａによって同時に行われる。
【００３２】
ここで、上記のように基材樹脂テープ１を介して、ロータリー式金型３の凹状成形用型部３ａに咬合しながらロータリー式金型３と補助金型６との両者が滑らかに回転でき、かつ、エンボス部１ａが均一な厚さで型形状再現性の良く形成できるよう、ロータリー式金型３側面の凹状成形用型部３ａの形状（ロータリー式金型３の凹状成形用型部３ａよりも小さい）、金型の回転速度、用いる樹脂の柔軟性等を勘案して、補助金型６の凸部６ａの形状を決定する必要がある。
【００３３】
また、上記装置の運転に際しては、補助金型６の回転速度と補助金型６との回転の方向は互いに逆であり、かつ、それらの速度は厳密に制御されて凹状成形用型部３ａと凸部６ａとの咬合の同期が常に保たれている必要がある。これらの間の同期が正常でないと、精度の良い、充分な強度を有するエンボスキャリアテープが得られないばかりか、高価なロータリー式金型３や補助金型６に傷がついたり、破損したりするおそれが生じる。
【００３４】
なお、上記のようにロータリー式金型３の温度は加熱された基材樹脂テープ１の温度より低く設定されているため、基材樹脂テープ１のロータリー式金型３に接触している部分はロータリー式金型３の凹状成形用型部３ａに位置している部分より相対的に温度が低くなる。
【００３５】
このため従来では基材樹脂テープ１のうち、ロータリー式金型３の凹状成形用型部３ａに位置している、相対的に温度が高い部分のみ、特に主としてその中央部が吸引により延伸されていた。
【００３６】
しかし、ここで示されているのは補助金型を用いる成形装置であり、補助金型は積極的に加熱せず、さらに高温供給源からの距離が大きいので、その温度は、加熱され吸引動作される直前の基材樹脂テープ１の、ロータリー式金型３の凹状成形用型部３ａに位置している部分より低い。
【００３７】
そのためこの補助金型６の凸部６ａ、基材樹脂テープ１のうち、ロータリー式金型３の凹状成形用型部３ａに位置している部分、特にその中央部に接触させることにより、成形時の基材樹脂テープ１の部分的な温度差を小さくすることが可能となり、局部的な延伸が防止され、得られるエンボス部１ａの強度を保つことが可能となる。なお、このとき必要に応じクーラ等を設けて補助金型６の温度管理を行ってもよい。
【００３８】
以上のように、エンボス部１ａが形成された基材樹脂テープ１の部分は金型３への伝熱とクーラ８からの冷風とにより、冷却されてその形状が固定される。
冷却後のテープ１はロータリー式金型３から不用意に離型しやすくなるが、離型してしまうとエンボス部１ａの変形などの障害が発生するおそれがあるので、補助ローラ１０でその離型を防止しながら、離型アシストＡ及びＢ（符号はそれぞれ９ａ及び９ｂ）に供給される。
【００３９】
ここで、ロータリー式金型３と離型アシストＡ及びＢとのモデル分解斜視図を図５に示す。
図５（ａ）は離型アシストＡ及びＢ側から見たモデル分解斜視図、図５（ｂ）はロータリー式金型３側から見たモデル分解斜視図である。
【００４０】
このロータリー式金型３の側面にエンボスキャリアテープのエンボス部形成のための複数の凹状成形用型部３ａからなる凹状成形用型部列が５列設けられている。
【００４１】
離型アシストＢ９ｂには円筒状のロータリー式金型３に対してガイド面９ｂ１が設けられている。離型アシストＡには離型アシストＢ９ｂのガイド面９ｂ１に対応する曲面になるように櫛形ガイド部９ａ１が設けられていて、櫛形ガイド部９ａ１の凹部は基材樹脂テープ１のエンボス部１ａが通過可能な寸法に設けられている。
【００４２】
さらに、離型アシストＡのガイド面は図６に示すようにロータリー式金型３の近くに位置する部分が「ロータリー式金型の側面の接線面となる部分（一次誘導部）」となっており、次いで「接線面よりロータリー式金型側によった面となる部分（二次誘導部）」となっている。また、この離型アシストＡのガイド面に対応する離型アシストＢのガイド面も同様にロータリー式金型３の近くに位置する部分が「ロータリー式金型の側面の接線面となる部分（一次誘導部）」となっており、次いで「接線面よりロータリー式金型側に寄った面となる部分（二次誘導部）」となっている。
【００４３】
このように、このエンボスキャリアテープ製造装置は、ロータリー金型３から、エンボス部１ａが形成されたエンボスキャリアテープを離型する際に、上記エンボスキャリアテープを、一旦、ロータリー式金型３の側面から該側面の接線方向に誘導する一次誘導部と、該一次誘導部から供給されるエンボスキャリアテープを前記接線面よりロータリー式金型側に寄った面に沿って誘導する二次誘導部とを有する。
【００４４】
このような一組の離型アシストＡ及びＢを備えた装置によれば図３を用いて上記で説明した本発明のエンボスキャリアテープの製造方法を容易に実施することができる。
【００４５】
このような一組の離型アシストＡ及びＢの誘導によるエンボス部１ａのロータリー式金型３の凹状成形用型部３ａからの引き離しにより、すなわち、エンボス部１ａが円筒状のロータリー式金型３の接線方向に離型された後、接線角度（接線方向）よりも小さい角度で引き離されていくことにより、ロータリー式金型を用いた深絞りのエンボス部を有するエンボスキャリアテープの製造であっても、エンボス部の角部が凹状成形用型部３ａへの壁面に押しつけられることによる変形、傷の発生をなくする、ないし、著しく減少させることが可能となる、あるいは、従来技術よりも深絞りのエンボス部を有するエンボスキャリアテープの製造に対応することができる。
【００４６】
なお、離型アシストはロータリー式金型３側の離型アシストＡだけでその所期の目的を果たすことができるが、上記のような離型アシストＢを併用することにより、離型直後のテープのバタ付きを効果的に防止し、その結果高速運転が可能となり生産性が向上する。
【００４７】
これら一組の離型アシストＡ及びＢは図７に示すように組み付けられる。
図７（ａ）は離型アシストＡ及びＢ側から見たモデル斜視図、図７（ｂ）はロータリー式金型３側から見たモデル斜視図である。
【００４８】
以上のようにロータリー式金型３から離型された、エンボス部１ａが形成された基材樹脂テープは製品のエンボスキャリアテープとなる。
なお、この後、さらに、プレス処理、スリット処理などにより、穿孔、切断や寸法調整等の後加工を行っても良い。
【００４９】
また、ロータリー式金型３から離型されたテープをさらに冷却したい場合には例えば、離型アシストＡ及びＢに図８（ａ）及び図８（ｂ）にそれぞれ示すようにガイド面に至る通気孔（符号９ａ２’及び９ｂ２’）をそれぞれ設け、これら通気孔の部分からガイド面に向けて冷却された空気等を流すことで効果的に達成することができる。なお、これらアシストＡ及びＢのガイド面は図６を用いて上記で説明したように、それぞれ、ロータリー式金型３に近い位置となる部分が「ロータリー式金型の側面の接線面となる部分（一次誘導部）」となっており、次いで「接線面よりロータリー式金型側によった面となる部分（二次誘導部）」となっている。
【００５０】
本発明のエンボスキャリアテープ製造装置において、運転開始時や、装置のメンテナンス（ロータリー式金型３の分解掃除等）等を勘案すると、上記咬合は解除可能であることが望ましい。
【００５１】
その場合、図４において補助金型はその凸部がロータリー式金型側面の凹状成形用型部とは咬合しない位置、例えば図中右方向に退避可能であることが望ましい。
【００５２】
このとき、退避解除し、その凸部をロータリー式金型側面の凹状成形用型部に咬合する位置に戻す際、その咬合の同期が正常になるよう厳密に設定する必要がある。この設定が不充分であると、精度の良い、充分な強度を有するエンボスキャリアテープが得られないばかりか、高価なロータリー式金型３や補助金型６に傷がついたり、破損したりするおそれが生じる。
【００５３】
しかしながらロータリー式金型の回転駆動と補助金型の回転駆動とが、１つのモータで行われるものであると、その咬合の調整が困難であったり、不充分で合ったりするおそれがある。そのため、補助金型とロータリー式金型とがそれぞれ独立して回転駆動されるものであることが望ましい。
【００５４】
【発明の効果】
本発明のエンボスキャリアテープの製造方法は、熱可塑性樹脂からなる基材樹脂テープを、略円筒形であって、その側面にエンボスキャリアテープのエンボス部形成のための複数の凹状成形用型部からなる凹状成形用型部列を１列以上有する、回転するロータリー式金型の側面に接触させて、エンボス部を連続的に真空成形するエンボスキャリアテープの製造方法において、ロータリー金型から、エンボス部が形成されたエンボスキャリアテープを離型する際に、上記エンボスキャリアテープを、一旦、ロータリー式金型の側面から該側面の接線方向に誘導することにより該エンボスキャリアテープのエンボス部をロータリー式金型側面の凹状成形用型部の壁面から離間させ、次いで、エンボスキャリアテープを前記接線面よりロータリー式金型側に寄った面に沿って誘導することによって該エンボスキャリアテープのエンボス部を前記凹状成形用型部から取り出す構成を有するため、深いエンボス部を有するエンボスキャリアテープを製造しても、変形等の瑕疵のない高い型再現精度のエンボス部が形成され、あるいは、従来よりも深いエンボス部が可能となる優れたエンボスキャリアテープの製造方法である。
【００５５】
本発明のエンボスキャリアテープ製造装置は、熱可塑性樹脂からなる基材樹脂テープを、略円筒形であって、その側面にエンボスキャリアテープのエンボス部形成のための複数の凹状成形用型部からなる凹状成形用型部列を１列以上有する、回転するロータリー式金型の側面に接触させて、エンボス部を連続的に真空成形するエンボスキャリアテープ製造装置において、ロータリー金型から、エンボス部が形成されたエンボスキャリアテープを離型する際に、上記エンボスキャリアテープを、一旦、ロータリー式金型の側面から該側面の接線方向に誘導する一次誘導部と、該一次誘導部から供給されるエンボスキャリアテープを前記接線面よりロータリー式金型側に寄った面に沿って誘導する二次誘導部とを有する構成を有するため、深いエンボス部を有するエンボスキャリアテープを製造しても変形等の瑕疵のない高い型再現精度のエンボス部が形成され、あるいは、従来よりも深いエンボス部を可能とする優れたエンボスキャリアテープの製造装置である。
【図面の簡単な説明】
【図１】エンボスキャリアテープの例を示す図である。
（ａ）複数のエンボスが１列に形成されている例
（ｂ）複数のエンボスからなる列が複数形成されている例
（ｃ）エンボスキャリアテープの断面を示すモデル図である。
【図２】従来技術に係るエンボスキャリアテープの製造方法を示すモデル図である。
【図３】本発明の原理を示すモデル図である。
【図４】本発明に係るエンボスキャリアテープの製造装置を示すモデル図である。
【図５】ロータリー式金型３と離型アシストＡ及びＢとのモデル分解斜視図である。
（ａ）離型アシストＡ及びＢ側から見たモデル分解斜視図である。
（ｂ）ロータリー式金型３側から見たモデル分解斜視図である。
【図６】上記離型アシストＡ及びＢのガイド面の状態を説明するモデル分解斜視図である。
【図７】ロータリー式金型３と離型アシストＡ及びＢとを組み付けた状態を示す斜視図である。
（ａ）離型アシストＡ及びＢ側から見たモデル斜視図である。
（ｂ）ロータリー式金型３側から見たモデル斜視図である。
【図８】離型アシストＡ及びＢに通気孔を設けた状態を示す図である。
【符号の説明】
１  基材樹脂テープ
１ａ  エンボス部
２ａ、２ｂ  予加熱ローラ
３    ロータリー式金型
３ａ  凹状成形用型部
４    ヒータ
５    真空吸引部
６    補助金型
６ａ  凸部
７、８    クーラ
９ａ  離型アシストＡ
９ａ１  櫛形ガイド
９ａ２’，９ｂ２’  通気孔
９ｂ  離型アシストＢ
９ｂ１  ガイド面
１０    補助ローラ
【図１】
2004189250.tif 000003
【図２】
2004189250.tif 000004
【図３】
2004189250.tif 000005
【図４】
2004189250.tif 000006
【図５】
2004189250.tif 000007
【図６】
2004189250.tif 000008
【図７】
2004189250.tif 000009
【図８】
2004189250.tif 000010